(57)【要約】【課題】  色々な環境に対応して柱の荷重の仮受けを実施できるようにする。【解決手段】  既設の柱１の中間部を切断して免震装置２を設置するにあたり、柱１の切断予定箇所Ｓに作用する荷重を仮受けする荷重仮受け方法において、柱１の切断予定箇所Ｓの上側と下側とに、横に張り出す状態に仮受け張出部材４をそれぞれ設置し、上下の仮受け張出部材４にわたってジャッキ装置５を取り付け、ジャッキ装置５で両仮受け張出部材４間に突っ張り力を作用させた後、上の仮受け張出部材４Ａとその上の梁６Ａとの間、及び、下の仮受け張出部材４Ｂとその下の梁６Ｂとの間に、荷重伝達自在な状態に荷重伝達部材７をそれぞれ介在させる。【選択図】        図１
2006083515.tif 000002
【特許請求の範囲】
【請求項１】
既設の柱の中間部を切断して免震装置を設置するにあたり、前記柱の切断予定箇所に作用する荷重を仮受けする荷重仮受け方法であって、
前記柱の切断予定箇所の上側と下側とに、横に張り出す状態に仮受け張出部材をそれぞれ設置し、上下の仮受け張出部材にわたってジャッキ装置を取り付け、前記ジャッキ装置で両仮受け張出部材間に突っ張り力を作用させた後、上の仮受け張出部材とその上の梁との間、及び、下の仮受け張出部材とその下の梁との間に、荷重伝達自在な状態に荷重伝達部材をそれぞれ介在させる荷重仮受け方法。
【請求項２】
既設の柱の中間部を切断して免震装置を設置するにあたり、前記柱の切断予定箇所に作用する荷重を仮受けする荷重仮受け方法であって、
前記柱の切断予定箇所の上側と下側とに、横に張り出す状態に仮受け張出部材をそれぞれ設置し、上下の仮受け張出部材にわたってジャッキ装置を取り付け、前記ジャッキ装置で両仮受け張出部材間に突っ張り力を作用させた後、上の仮受け張出部材とその上の梁との間、又は、下の仮受け張出部材とその下の梁との間に、荷重伝達自在な状態に荷重伝達部材を介在させる荷重仮受け方法。
【請求項３】
前記荷重伝達部材を介在させた後、前記ジャッキ装置を更に伸長操作する請求項１又は２に記載の荷重仮受け方法。
【請求項４】
既設の柱の中間部を切断して免震装置を設置するにあたり、前記柱の切断予定箇所に作用する荷重を仮受けする荷重仮受け方法であって、
前記柱の切断予定箇所の上側と下側とに、横に張り出す状態に仮受け張出部材をそれぞれ設置し、上下の仮受け張出部材にわたってジャッキ装置を取り付け、上の仮受け張出部材とその上の梁との間、及び、下の仮受け張出部材とその下の梁との間に、荷重伝達自在な状態に荷重伝達部材をそれぞれ介在させた後、前記ジャッキ装置で両仮受け張出部材間に突っ張り力を作用させる荷重仮受け方法。
【請求項５】
既設の柱の中間部を切断して免震装置を設置するにあたり、前記柱の切断予定箇所に作用する荷重を仮受けする荷重仮受け方法であって、
前記柱の切断予定箇所の上側と下側とに、横に張り出す状態に仮受け張出部材をそれぞれ設置し、上下の仮受け張出部材にわたってジャッキ装置を取り付け、上の仮受け張出部材とその上の梁との間、又は、下の仮受け張出部材とその下の梁との間に、荷重伝達自在な状態に荷重伝達部材を介在させた後、前記ジャッキ装置で両仮受け張出部材間に突っ張り力を作用させる荷重仮受け方法。
【請求項６】
請求項１〜５に記載の荷重仮受け方法の実施に使用する荷重仮受け装置であって、
前記柱の切断予定箇所の上側と下側とに、横に張り出す状態にそれぞれ取付自在な上下一対の仮受け張出部材が設けられ、上下の仮受け張出部材にわたって取付自在なジャッキ装置が設けられ、上の仮受け張出部材とその上の梁との間、及び、下の仮受け張出部材とその下の梁との間の少なくとも一方に、荷重伝達自在な状態に介在可能な荷重伝達部材が設けられた荷重仮受け装置。
【発明の詳細な説明】
【技術分野】
【０００１】
本発明は、既設の柱の中間部を切断して免震装置を設置するにあたり、前記柱の切断予定箇所に作用する荷重を仮受けする荷重仮受け方法、及び、その方法の実施に直接使用する荷重仮受け装置に関する。
【背景技術】
【０００２】
従来、この種の荷重仮受け方法としては、図８に示すように、免震装置２を設置する作業空間を柱１の周りに確保した状態で、柱の周囲に梁６Ａから床梁６Ｂにわたって前記柱１とは独立した複数の仮受け柱２０を設置し、これら仮受け柱２０によって、本来、柱１に作用するはずの荷重を仮受けするもの（以後、第１従来例という）があった（例えば、特許文献１参照）。また、この方法において、梁や床梁の強度が不足する場合には、事前に梁や床梁の補強を行っておく必要がある。
また、別の方法としては、梁や床梁に荷重を作用させないものとして、図９に示すように、前記柱１の切断予定箇所Ｓの上側と下側とに、横に張り出す状態に仮受け張出部材４をそれぞれ設置し、上下の仮受け張出部材４にわたってジャッキ装置５を取り付けて、この前記ジャッキ装置５を突っ張らせることで、上下の仮受け張出部材４を介して、柱１の中間部に作用する荷重を仮受けさせるもの（以後、第２従来例という）があった（例えば、特許文献２〜５参照）。
【０００３】
また、この種の荷重仮受け装置としては、上述のとおり、上下一対の仮受け張出部材と、それらにわたって設置するジャッキ装置とを設けたものがあった。
【０００４】
【特許文献１】特開２００１−３１１３１４号公報（図１）
【特許文献２】特開平４−２３１５５０号公報（図１）
【特許文献３】特開平１０−２５９６６６号公報（図３〜６）
【特許文献４】特開平１１−１０７５４０号公報（図４）
【特許文献５】特開２００３−１６１０４４号公報（図１）
【発明の開示】
【発明が解決しようとする課題】
【０００５】
上述した従来の荷重仮受け技術に関して、特に、前記第１従来例によれば、切断対象の柱に作用していた荷重を、梁で受けるわけであるから、梁そのものに仮受け荷重を受けるだけの充分な強度が必要となる。しかし、対象となる建物によっては、階高の制限から梁成を大きくとれず、仮受け荷重に対して梁の強度が不足することがあったり、梁の補強も満足に実施できないことも少なくない。
従って、前記第１従来例は、梁の強度が確保できない場合には採用できない危険性があり、採用の自由度が低い問題点がある。言い換えれば、汎用性に欠けるという問題点がある。
一方、前記第２従来例によれば、梁に仮受け荷重を伝達させないから、前記第１従来例の問題は解消できるものの、同様の問題点が、仮受け張出部材の大断面化と言った形で現れる。即ち、仮受け張出部材は、力学上、基端部を柱に固定した片持ち梁の扱いとなり、上述の梁の場合より、さらに大きな成が必要となり易い。従って、天井高さが低い建物に対しては、非常に採用し難くなり、第１従来例と同様に、汎用性に欠けるという問題点がある。
【０００６】
従って、本発明の目的は、上記問題点を解消し、色々な環境に対応して柱の荷重の仮受けを実施できる荷重仮受け方法を提供するところにある。
【課題を解決するための手段】
【０００７】
本発明の第１の特徴手段は、既設の柱の中間部を切断して免震装置を設置するにあたり、前記柱の切断予定箇所に作用する荷重を仮受けする荷重仮受け方法において、前記柱の切断予定箇所の上側と下側とに、横に張り出す状態に仮受け張出部材をそれぞれ設置し、上下の仮受け張出部材にわたってジャッキ装置を取り付け、前記ジャッキ装置で両仮受け張出部材間に突っ張り力を作用させた後、上の仮受け張出部材とその上の梁との間、及び、下の仮受け張出部材とその下の梁との間に、荷重伝達自在な状態に荷重伝達部材をそれぞれ介在させるところにある。
【０００８】
本発明の第１の特徴手段によれば、予め、ジャッキ装置で両仮受け張出部材間に突っ張り力を作用させることで、柱の上端部・上の仮受け張出部材・ジャッキ装置・下の仮受け張出部材・柱の下端部に連なる第１荷重分担経路が構築され、ジャッキ装置による突っ張り力に相当した仮受け分担荷重を、前記第１荷重分担経路で受け持つことが可能となる。その後、上の仮受け張出部材とその上の梁との間、及び、下の仮受け張出部材とその下の梁との間に、荷重伝達自在な状態に荷重伝達部材をそれぞれ介在させることで、上の梁・上の荷重伝達部材・上の仮受け張出部材・ジャッキ装置・下の仮受け張出部材・下の荷重伝達部材・下の梁に連なる第２荷重分担経路が構築される。従って、柱の切断に伴っては、前記第１荷重分担経路と第２荷重分担経路との両方の経路で、柱に作用する荷重を分担して仮受けすることが可能となる。
即ち、梁に仮受け荷重を受けるだけの強度が確保できない場合でも、不足する仮受け荷重分を、前記第１荷重分担経路の各部材によって受けることが可能となり、例えば、階高の制限から梁成を大きくとれないような建物でも、柱荷重を仮受けできるようになる。
一方、仮受け張出部材に充分な強度が確保できないような場合でも、不足する仮受け荷重分を、前記第２荷重分担経路の各部材によって受けることが可能となり、例えば、天井高さが低い等の理由で仮受け張出部材の成を小さくせざるを得ない建物でも、柱荷重を仮受けできるようになる。
従って、色々な環境に対応して柱の荷重の仮受けを実施できるようになり、柱を切断した後に免震装置を取り付ける等の免震化工事に役立てることが可能なる。
【０００９】
本発明の第２の特徴手段は、既設の柱の中間部を切断して免震装置を設置するにあたり、前記柱の切断予定箇所に作用する荷重を仮受けする荷重仮受け方法において、前記柱の切断予定箇所の上側と下側とに、横に張り出す状態に仮受け張出部材をそれぞれ設置し、上下の仮受け張出部材にわたってジャッキ装置を取り付け、前記ジャッキ装置で両仮受け張出部材間に突っ張り力を作用させた後、上の仮受け張出部材とその上の梁との間、又は、下の仮受け張出部材とその下の梁との間に、荷重伝達自在な状態に荷重伝達部材を介在させるところにある。
【００１０】
本発明の第２の特徴手段によれば、予め、ジャッキ装置で両仮受け張出部材間に突っ張り力を作用させることで、柱の上端部・上の仮受け張出部材・ジャッキ装置・下の仮受け張出部材・柱の下端部に連なる第１荷重分担経路が構築され、ジャッキ装置による突っ張り力に相当した仮受け分担荷重を、前記第１荷重分担経路で受け持つことが可能となる。その後、上の仮受け張出部材とその上の梁との間（又は、下の仮受け張出部材とその下の梁との間）に、荷重伝達自在な状態に荷重伝達部材を介在させることで、上の梁と上の荷重伝達部材・上の仮受け張出部材・ジャッキ装置・下の仮受け張出部材・柱の下端部（又は、柱の上端部・上の仮受け張出部材・ジャッキ装置・下の仮受け張出部材・下の荷重伝達部材と下の梁）に連なる第２荷重分担経路が構築される。従って、柱の切断に伴っては、前記第１荷重分担経路と第２荷重分担経路との両方の経路で、柱に作用する荷重を分担して仮受けすることが可能となる。
即ち、下の梁（又は、上の梁）に仮受け荷重を受けるだけの強度が確保できない場合でも、不足する仮受け荷重分を、前記第１荷重分担経路の各部材によって受けることが可能となり、例えば、階高の制限から下の梁（又は、上の梁）の梁成を大きくとれないような建物でも、柱荷重を仮受けできるようになる。
一方、上の仮受け張出部材（又は、下の仮受け張出部材）に充分な強度が確保できないような場合でも、不足する仮受け荷重分を、前記第２荷重分担経路の各部材によって受けることが可能となり、例えば、天井高さが低い等の理由で上の仮受け張出部材（又は、下の仮受け張出部材）の成を小さくせざるを得ない建物でも、柱荷重を仮受けできるようになる。
従って、色々な環境に対応して柱の荷重の仮受けを実施できるようになり、柱を切断した後に免震装置を取り付ける等の免震化工事に役立てることが可能なる。
【００１１】
本発明の第３の特徴手段は、前記荷重伝達部材を介在させた後、前記ジャッキ装置を更に伸長操作するところにある。
【００１２】
本発明の第３の特徴手段によれば、本発明の第１又は２の特徴構成による上述の作用効果を叶えることができるのに加えて、荷重伝達部材に、例えばジャッキ機構のような伸縮機構を備えてないものを採用しても、前記ジャッキ装置による更なる伸長操作によって荷重伝達部材と梁や仮受け張出部材との密着性を確保することが可能となり、より好ましい状態での柱荷重の仮受けを行うことが可能となる。また、ジャッキ装置の突っ張り力を調整することで、仮受け荷重を所定値に調整することが可能となる。
【００１３】
本発明の第４の特徴手段は、既設の柱の中間部を切断して免震装置を設置するにあたり、前記柱の切断予定箇所に作用する荷重を仮受けする荷重仮受け方法において、前記柱の切断予定箇所の上側と下側とに、横に張り出す状態に仮受け張出部材をそれぞれ設置し、上下の仮受け張出部材にわたってジャッキ装置を取り付け、上の仮受け張出部材とその上の梁との間、及び、下の仮受け張出部材とその下の梁との間に、荷重伝達自在な状態に荷重伝達部材をそれぞれ介在させた後、前記ジャッキ装置で両仮受け張出部材間に突っ張り力を作用させるところにある。
【００１４】
本発明の第４の特徴手段によれば、ジャッキ装置で両仮受け張出部材間に突っ張り力を作用させることにより、柱の上端部・上の仮受け張出部材・ジャッキ装置・下の仮受け張出部材・柱の下端部に連なる第１荷重分担経路と、上の梁・上の荷重伝達部材・上の仮受け張出部材・ジャッキ装置・下の仮受け張出部材・下の荷重伝達部材・下の梁に連なる第２荷重分担経路とが共に構築される。従って、柱の切断に伴っては、前記第１荷重分担経路と第２荷重分担経路との両方の経路で、柱に作用する荷重を分担して仮受けすることが可能となる。
即ち、梁に仮受け荷重を受けるだけの強度が確保できない場合でも、不足する仮受け荷重分を、前記第１荷重分担経路の各部材によって受けることが可能となり、例えば、階高の制限から梁成を大きくとれないような建物でも、柱荷重を仮受けできるようになる。
一方、仮受け張出部材に充分な強度が確保できないような場合でも、不足する仮受け荷重分を、前記第２荷重分担経路の各部材によって受けることが可能となり、例えば、天井高さが低い等の理由で仮受け張出部材の成を小さくせざるを得ない建物でも、柱荷重を仮受けできるようになる。
従って、色々な環境に対応して柱の荷重の仮受けを実施できるようになり、柱を切断した後に免震装置を取り付ける等の免震化工事に役立てることが可能なる。
【００１５】
本発明の第５の特徴手段は、既設の柱の中間部を切断して免震装置を設置するにあたり、前記柱の切断予定箇所に作用する荷重を仮受けする荷重仮受け方法において、前記柱の切断予定箇所の上側と下側とに、横に張り出す状態に仮受け張出部材をそれぞれ設置し、上下の仮受け張出部材にわたってジャッキ装置を取り付け、上の仮受け張出部材とその上の梁との間、又は、下の仮受け張出部材とその下の梁との間に、荷重伝達自在な状態に荷重伝達部材を介在させた後、前記ジャッキ装置で両仮受け張出部材間に突っ張り力を作用させるところにある。
【００１６】
本発明の第５の特徴手段によれば、ジャッキ装置で両仮受け張出部材間に突っ張り力を作用させることにより、柱の上端部・上の仮受け張出部材・ジャッキ装置・下の仮受け張出部材・柱の下端部に連なる第１荷重分担経路と、上の梁と上の荷重伝達部材・上の仮受け張出部材・ジャッキ装置・下の仮受け張出部材・柱の下端部（又は、柱の上端部・上の仮受け張出部材・ジャッキ装置・下の仮受け張出部材・下の荷重伝達部材と下の梁）に連なる第２荷重分担経路が構築される。従って、柱の切断に伴っては、前記第１荷重分担経路と第２荷重分担経路との両方の経路で、柱に作用する荷重を分担して仮受けすることが可能となる。
即ち、下の梁（又は、上の梁）に仮受け荷重を受けるだけの強度が確保できない場合でも、不足する仮受け荷重分を、前記第１荷重分担経路の各部材によって受けることが可能となり、例えば、階高の制限から下の梁（又は、上の梁）の梁成を大きくとれないような建物でも、柱荷重を仮受けできるようになる。
一方、上の仮受け張出部材（又は、下の仮受け張出部材）に充分な強度が確保できないような場合でも、不足する仮受け荷重分を、前記第２荷重分担経路の各部材によって受けることが可能となり、例えば、天井高さが低い等の理由で上の仮受け張出部材（又は、下の仮受け張出部材）の成を小さくせざるを得ない建物でも、柱荷重を仮受けできるようになる。
従って、色々な環境に対応して柱の荷重の仮受けを実施できるようになり、柱を切断した後に免震装置を取り付ける等の免震化工事に役立てることが可能なる。
【００１７】
本発明の第６の特徴構成は、請求項１〜５に記載の荷重仮受け方法の実施に使用する荷重仮受け装置において、前記柱の切断予定箇所の上側と下側とに、横に張り出す状態にそれぞれ取付自在な上下一対の仮受け張出部材が設けられ、上下の仮受け張出部材にわたって取付自在なジャッキ装置が設けられ、上の仮受け張出部材とその上の梁との間、及び、下の仮受け張出部材とその下の梁との間の少なくとも一方に、荷重伝達自在な状態に介在可能な荷重伝達部材が設けられたところにある。
【００１８】
本発明の第６の特徴構成によれば、本発明の第１〜５の何れかの荷重受け方法を実施するのに、より効率よく実施することが可能となる。
【発明を実施するための最良の形態】
【００１９】
以下に本発明の実施の形態を図面に基づいて説明する。尚、図面において従来例と同一の符号で表示した部分は、同一又は相当の部分を示している。
【００２０】
図１、図２は、本発明の荷重仮受け方法の一実施法によって柱１の荷重を仮受けしている建物要部の状態を示すもので、その荷重仮受け状態で、柱１の中間部を切断除去し、その除去跡に、免震装置２を設置して一体化を図ることで建物の免震化を叶えることが可能となる。そして、荷重の仮受けに伴っては、本発明の荷重仮受け装置３を、柱１及び梁６にわたって設置することで実施される。
【００２１】
荷重仮受け方法について説明する。
［１］  図４（イ）に示すように、柱１の切断予定箇所Ｓの上側と下側とに、横に張り出す状態に仮受け張出部材４をそれぞれ設置する。
［２］  上下の仮受け張出部材４にわたってジャッキ装置５を取り付けて、図４（ロ）に示すように、そのジャッキ装置５で両仮受け張出部材４間に突っ張り力を作用させる。
［３］  図５（ハ）に示すように、上の仮受け張出部材４Ａとその上の梁６Ａとの間、及び、下の仮受け張出部材４Ｂとその下の梁６Ｂとの間に、荷重伝達自在な状態に荷重伝達部材７をそれぞれ介在させて設置する。
【００２２】
以上の荷重仮受け方法によれば、予め、ジャッキ装置５で上下の両仮受け張出部材４間に突っ張り力を作用させることで、柱１の上端部・上の仮受け張出部材４Ａ・ジャッキ装置５・下の仮受け張出部材４Ｂ・柱の下端部に連なる第１荷重分担経路Ｋ１が構築され（図４（ロ）参照）、ジャッキ装置５による突っ張り力に相当した仮受け分担荷重を、前記第１荷重分担経路で受け持つことが可能となる。その後、上の仮受け張出部材４Ａとその上の梁６Ａとの間、及び、下の仮受け張出部材４Ｂとその下の梁６Ｂとの間に、荷重伝達自在な状態に荷重伝達部材７をそれぞれ介在させることで、上の梁６Ａ・上の荷重伝達部材７Ａ・上の仮受け張出部材４Ａ・ジャッキ装置５・下の仮受け張出部材４Ｂ・下の荷重伝達部材７Ｂ・下の梁６Ｂに連なる第２荷重分担経路Ｋ２が構築される（図５（ハ）参照）。従って、柱１の切断に伴っては、前記第１荷重分担経路Ｋ１と第２荷重分担経路Ｋ２との両方の経路で、柱に作用する荷重を分担して仮受けすることが可能となる。
【００２３】
尚、本実施形態においては、前記柱１は、鉄筋コンクリートで構成されており、免震化に伴う応力アップに対処するために、断面を増加させることで補強が図られている（対象は、切断予定箇所Ｓ以外の範囲）。
【００２４】
荷重仮受け装置３について説明する。
上述のとおり、前記柱１の切断予定箇所Ｓの上側と下側とに、横に張り出す状態にそれぞれ取付自在な上下一対の仮受け張出部材４Ａ・４Ｂが設けられ、上下の仮受け張出部材４Ａ・４Ｂにわたって取付自在なジャッキ装置５が設けられ、上の仮受け張出部材４Ａとその上の梁６Ａとの間、及び、下の仮受け張出部材４Ｂとその下の梁６Ｂとの間に、荷重伝達自在な状態に介在可能な荷重伝達部材７が設けられて構成してある。
た荷重仮受け装置。
【００２５】
前記仮受け張出部材４は、図３に示すように、鉄筋コンクリート製の複数のプレキャスト部材で構成され、それらを、前記柱１の外周に前記柱１の周方向に沿って環状に配置し、隣接する仮受け張出部材４どうしを、相互に貫通させたＰＣ鋼棒８で引き寄せることで各仮受け張出部材４を近接させて、前記柱１に対して挟持状態に取り付けることができる。
組み付けられた仮受け張出部材群Ｇは、外形が略正方形で、中央部分に、前記柱１が位置する略八角形の貫通孔を備えた形状を呈する。
そして、柱１の周方向に隣接する仮受け張出部材４どうしには、複数のＰＣ鋼棒８が貫通状態に設けられ、仮受け張出部材４の各端縁部にＰＣ鋼棒８の両端部が各別に定着してある。
また、仮受け張出部材群Ｇにおける四つの角部分には、上下の仮受け張出部材群Ｇにわたる状態に前記ジャッキ装置５が設置される。
【００２６】
前記荷重伝達部材７は、本実施形態においては、スペースジャッキを用いてあり、梁６と仮受け張出部材４との間に位置させた状態で、双方に密接するまで伸長操作することで荷重伝達できる状態に設置することができる。
【００２７】
〔別実施形態〕
以下に他の実施の形態を説明する。
【００２８】
〈１〉  荷重仮受け方法は、先の実施形態で説明したように、荷重伝達部材７を、上の荷重仮受け張出部材４Ａとその上の梁６Ａとの間、及び、下の荷重仮受け張出部材４Ｂとその下の梁６Ｂとの間それぞれに設置することに限るものではなく、例えば、図６（イ）、又は、図６（ロ）に示すように、何れか一方にのみ設置することでもよい。
〈２〉  また、先の実施形態で説明したように、上下の仮受け張出部材４にジャッキ装置５で突っ張り力を作用させてからた荷重伝達部材７を設置する方法に加えて、荷重伝達部材７を設置した後、更に、ジャッキ装置５を伸長操作するものであってもよい。
〈３〉  また、以上の各方法に替えて、図７に示すように、該当部分に当該荷重仮受け装置３を設置した後、ジャッキ装置５によって突っ張り力を作用させるようにしてもよい。
そして、この荷重仮受け方法においても、荷重伝達部材７は、上下何れか一方にのみ設置することでもよい。
〈４〉  当該荷重仮受け方法の対象となる建築構造は、先の実施形態で説明した鉄筋コンクリート造に限るものではなく、公知の他の建築構造であってもよい。
〈５〉  また、仮受け張出部材４や荷重伝達部材７の材質や形状等は、先の実施形態で説明したものに限るものではなく、変更することが可能である。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３０】
【図１】荷重仮受け状態で免震装置を設置した状況を示す柱部分の側面図
【図２】仮受け張出部材の設置状況を示す平面図
【図３】仮受け張出部材の設置状況を示す分解平面図
【図４】荷重仮受け方法を示す柱部分の側面図
【図５】荷重仮受け方法を示す柱部分の側面図
【図６】別実施形態の荷重仮受け方法を示す柱部分の側面図
【図７】別実施形態の荷重仮受け方法を示す柱部分の側面図
【図８】従来の荷重仮受け方法を示す柱部分の側面図
【図９】従来の荷重仮受け方法を示す柱部分の側面図
【符号の説明】
【００３１】
１      柱
２      免震装置
４      仮受け張出部材
４Ａ    上の仮受け張出部材
４Ｂ    下の仮受け張出部材
５      ジャッキ装置
６Ａ    上の梁
６Ｂ    下の梁
７      荷重伝達部材
Ｓ      切断予定箇所
【図１】
2006083515.tif 000003
【図２】
2006083515.tif 000004
【図３】
2006083515.tif 000005
【図４】
2006083515.tif 000006
【図５】
2006083515.tif 000007
【図６】
2006083515.tif 000008
【図７】
2006083515.tif 000009
【図８】
2006083515.tif 000010
【図９】
2006083515.tif 000011